(57)【要約】【課題】仮締切り構造体内に水が浸入しない完全な止水状態を簡易に実現できる橋脚補修・補強工事に用いる仮締切り構造体の止水工法を提供すること。【解決手段】橋脚１の上方の非水没箇所で、底部に橋脚１を貫通配設する貫通孔部３が設けられ橋脚１の外周を囲むように設置される仮締切り構造体２を構築し、この仮締切り構造体２を橋下の水中に降下させ、前記貫通孔部３と前記橋脚１との間の間隙部４をコンクリート漏止手段５で塞いでからこの間隙部４にコンクリート６を充填し、このコンクリート６の硬化により前記間隙部４を密閉して止水する。【選択図】図１
2018059297.tif 000002
【特許請求の範囲】
【請求項１】
橋脚の上方の非水没箇所で、底部に橋脚を貫通配設する貫通孔部が設けられ橋脚の外周を囲むように設置される仮締切り構造体を構築し、この仮締切り構造体を橋下の水中に降下させ、前記貫通孔部と前記橋脚との間の間隙部をコンクリート漏止手段で塞いでからこの間隙部にコンクリートを充填し、このコンクリートの硬化により前記間隙部を密閉して止水することを特徴とする橋脚補修・補強工事に用いる仮締切り構造体の止水工法。
【請求項２】
前記間隙部の上方に鉄筋を配設し、この鉄筋を、間隙部に充填する前記コンクリートに埋設することを特徴とする請求項１記載の橋脚補修・補強工事に用いる仮締切り構造体の止水工法。
【請求項３】
前記間隙部付近の前記橋脚外周面にアンカー筋を付設し、このアンカー筋を、間隙部に充填する前記コンクリートに埋設することを特徴とする請求項１，２のいずれか１項に記載の橋脚補修・補強工事に用いる仮締切り構造体の止水工法。
【請求項４】
前記コンクリート漏止手段は、前記間隙部に、橋脚を囲繞するようにして弾性を有する漏止チューブが巻回されており、流体の注入により膨張するこの漏止チューブで前記間隙部が塞がれるように構成されていることを特徴とする請求項１〜３のいずれか１項に記載の橋脚補修・補強工事に用いる仮締切り構造体の止水工法。
【請求項５】
前記コンクリート漏止手段は、前記間隙部に型枠板が設置されて、この型枠板により前記間隙部が塞がれるように構成されていることを特徴とする請求項１〜３のいずれか１項に記載の橋脚補修・補強工事に用いる仮締切り構造体の止水工法。
【発明の詳細な説明】
【技術分野】
【０００１】
本発明は、河川や海などに設けられている橋脚の補修・補強工事に用いる仮締切り構造体の止水工法に関するものである。
【背景技術】
【０００２】
河川や海などに架けられた橋は、その橋脚に経年劣化や地震などにより損傷を生じると、補修・補強工事を行う。
【０００３】
具体的には、橋脚の周囲に筒状の仮締切り構造体を構築し、この仮締切り構造体によって水がその内側に入らないようにして作業スペース（ドライエリア）を確保する（例えば、特許文献１参照）。
【先行技術文献】
【特許文献】
【０００４】
【特許文献１】特開２００８−２９７７４８号公報
【発明の概要】
【発明が解決しようとする課題】
【０００５】
一般的に仮締切り構造体は、構築時に橋脚との間にゴムなどの弾性体から成る止水構造体を配設することによって止水し、仮締切り構造体内に水が入り込まないようにしているが、このような止水構造では、特に水深が深いところに仮締切り構造体を設置した際には、水圧の影響で止水構造体に変形を生じて水漏れ（仮締切り構造体内へ浸水）しまう懸念がある。
【０００６】
本発明は、このような懸念を払拭するためのもので、仮締切り構造体内に水が浸入しない完全な止水状態を簡易に実現できる橋脚補修・補強工事に用いる仮締切り構造体の止水工法を提供するものである。
【課題を解決するための手段】
【０００７】
添付図面を参照して本発明の要旨を説明する。
【０００８】
橋脚１の上方の非水没箇所で、底部に橋脚１を貫通配設する貫通孔部３が設けられ橋脚１の外周を囲むように設置される仮締切り構造体２を構築し、この仮締切り構造体２を橋下の水中に降下させ、前記貫通孔部３と前記橋脚１との間の間隙部４をコンクリート漏止手段５で塞いでからこの間隙部４にコンクリート６を充填し、このコンクリート６の硬化により前記間隙部４を密閉して止水することを特徴とする橋脚補修・補強工事に用いる仮締切り構造体の止水工法に係るものである。
【０００９】
また、前記間隙部４の上方に鉄筋７を配設し、この鉄筋７を、間隙部４に充填する前記コンクリート６に埋設することを特徴とする請求項１記載の橋脚補修・補強工事に用いる仮締切り構造体の止水工法に係るものである。
【００１０】
また、前記間隙部４付近の前記橋脚１外周面にアンカー筋８を付設し、このアンカー筋８を、間隙部４に充填する前記コンクリート６に埋設することを特徴とする請求項１，２のいずれか１項に記載の橋脚補修・補強工事に用いる仮締切り構造体の止水工法に係るものである。
【００１１】
また、前記コンクリート漏止手段５は、前記間隙部４に、橋脚１を囲繞するようにして弾性を有する漏止チューブ９が巻回されており、流体の注入により膨張するこの漏止チューブ９で前記間隙部４が塞がれるように構成されていることを特徴とする請求項１〜３のいずれか１項に記載の橋脚補修・補強工事に用いる仮締切り構造体の止水工法に係るものである。
【００１２】
また、前記コンクリート漏止手段５は、前記間隙部４に型枠板10が設置されて、この型枠板10により前記間隙部４が塞がれるように構成されていることを特徴とする請求項１〜３のいずれか１項に記載の橋脚補修・補強工事に用いる仮締切り構造体の止水工法に係るものである。
【発明の効果】
【００１３】
本発明は上述のように構成したから、コンクリート漏止手段により間隙部に簡易に且つ無駄なくコンクリートを充填でき、高強度のコンクリートにより仮締切り構造体底部の貫通孔部と橋脚との間の間隙部を完全に止水でき、従って仮締切り構造体内に浸水の心配がない良好な作業スペース（ドライエリア）を形成可能となると共に、水深の深いところでの橋脚補修・補強工事にも対応可能となるなど、極めて実用性に優れた橋脚補修・補強工事に用いる仮締切り構造体の止水工法となる。
【００１４】
また、請求項２記載の発明においては、仮締切り構造体底部の貫通孔部と橋脚との間の間隙部に充填して硬化させるコンクリート層がより強固なものとなるので、水圧に対し高耐性を発揮して非常に高い止水性能を発揮できる一層実用性に優れた橋脚補修・補強工事に用いる仮締切り構造体の止水工法となる。
【００１５】
また、請求項３記載の発明においては、仮締切り構造体を橋脚に対し強固に位置決めでき、水の浮力に抗する仮締切り構造体の高い浮き上がり防止効果を発揮できる一層実用性に優れた橋脚補修・補強工事に用いる仮締切り構造体の止水工法となる。
【００１６】
また、請求項４，５記載の発明においては、前記コンクリート漏止手段を、簡易構成にして容易に設計実現可能となる一層実用性に優れた橋脚補修・補強工事に用いる仮締切り構造体の止水工法となる。
【図面の簡単な説明】
【００１７】
【図１】実施例１の、橋脚への仮締切り構造体の設置完了状態（止水完了状態）を示す概略説明図である。
【図２】実施例１の、橋脚と仮締切り構造体の底板材との関係を示す説明平面図である。
【図３】実施例１の、底板材を示す構造説明側断面図である。
【図４】実施例１の降下用ガイドを示す説明平面図である。
【図５】実施例１の、底板材上に鉄筋を配設し、橋脚にアンカー筋を付設した状態を示す要部の拡大正断面図である。
【図６】図５に続いて、間隙部をコンクリート漏止手段で塞ぎ、間隙部にコンクリートを充填し硬化させた状態（止水完了状態）を示す要部の拡大正断面図である。
【図７】実施例２の、橋脚への仮締切り構造体の設置完了状態（止水完了状態）を示す概略説明図である。
【図８】実施例２の、橋脚と仮締切り構造体の底板材との関係を示す説明平面図である。
【図９】実施例２の、底板材を示す構造説明側断面図である。
【図１０】実施例２の、橋脚にアンカー筋を付設し、間隙部をコンクリート漏止手段で塞いだ状態を示す要部の拡大正断面図である。
【図１１】図１０に続いて、間隙部にコンクリートを充填し硬化させた状態（止水完了状態）を示す要部の拡大正断面図である。
【発明を実施するための形態】
【００１８】
好適と考える本発明の実施形態を、図面に基づいて本発明の作用を示して簡単に説明する。
【００１９】
橋脚１の上方の非水没箇所で、底部に橋脚１を貫通配設する貫通孔部３が設けられ橋脚１の外周を囲むように設置される仮締切り構造体２を構築する。
【００２０】
次いで、構築した仮締切り構造体２を橋下の水中に降下させ、前記貫通孔部３と前記橋脚１との間の間隙部４をコンクリート漏止手段５で塞いでからこの間隙部４にコンクリート６を充填する。
【００２１】
即ち、コンクリート６の充填は、コンクリート漏止手段５により間隙部４からのコンクリート６漏出が防止された状態で行われるので、この作業が簡易に且つコンクリート６使用量に無駄を生じることなく行われる。
【００２２】
この充填コンクリート６を硬化させると、間隙部４が硬化コンクリート６により密閉されて間隙部４が完全に止水されることになり、仮締切り構造体２内を浸水の心配がない橋脚１補修・補強工事用の作業スペース（ドライエリア）とすることができる。
【００２３】
また、本発明の止水工法によれば、従来までの弾性体から成る止水構造体を用いた止水工法とは異なり、強度の高いコンクリート６が水圧に対し高耐性を発揮するので、水深の深いところでの橋脚１補修・補強工事にも良好に対応可能となる。
【実施例１】
【００２４】
本発明の具体的な実施例１について図１〜図６に基づいて説明する。
【００２５】
本実施例は、河川や海などに架けられた橋の橋脚１が損傷を生じた場合に行われる、橋脚１の補修・補強工事に用いる仮締切り構造体２の設置工法に関するものである。尚、図面は円柱形の橋脚１を図示しているが、この形の橋脚１への設置工法に限定されるものではなく、橋脚１の形状に応じて仮締切り構造体２の形状等は適宜設計変更可能である。
【００２６】
以下、設置手順を説明する。
【００２７】
先ず、橋脚１の周囲の水面上に図示省略の浮桟橋を設置し、橋脚１の水面より上方位置（非水没箇所）に図示省略の作業用足場を設置する。
【００２８】
次いで、この作業用足場を利用して、底部に橋脚１を貫通配設する貫通孔部３が設けられ橋脚１の外周を囲むように設置される仮締切り構造体２を構築する。
【００２９】
具体的には、仮締切り構造体２は、中心部に前記貫通孔部３が設けられている底板材11の外周縁に、円筒状の囲い壁12が立設状態に連結された有底円筒状に構成されている。
【００３０】
更に詳しくは、先ず、分割壁材13として採用した湾曲板状のライナープレート13を、前記橋脚１の周方向および高さ方向に複数組み合せ連結して所要高さの前記円筒状囲い壁12を形成する。
【００３１】
次いで、橋脚１の上方の数箇所（例えば四箇所）に降下索14を設置し、この各降下索14を前記囲い壁12に連結して、囲い壁12を橋脚１に吊り下げる（図１参照）。
【００３２】
また、この各降下索14は、チェーンブロックなどの昇降装置（図示省略）によって昇降駆動可能に構成されており、昇降装置の制御により囲い壁12（仮締切り構造体２）を降下移動し得るように設けられている。
【００３３】
次いで、この囲い壁12の下部に、前記底板材11を形成して前記仮締切り構造体２を構築する。
【００３４】
この底板材11は、底部フレーム15と、この底部フレーム15に取り付けられる床板19とから構成されている。
【００３５】
更に詳しくは、底部フレーム15は、図２に示すように、前記橋脚１の基礎（フーチング）35の外径寸法より径大なリング状の金属製内フレーム16と、この内フレーム16より径大で前記囲い壁12の外径寸法と同等の外径寸法を有するリング状の金属製外フレーム17とが同心円状に配設されていると共に、この内フレーム16と外フレーム17とが、夫々の中心から放射状に配設される複数の連結フレーム18によって連結されて成る。
【００３６】
床板19は、内フレーム16と外フレーム17と連結フレーム18とに囲まれた円弧状の空隙部の形状に略合致する平面視円弧状板に構成されていると共に、図３に示すように、発泡スチロール（ＥＰＳ）製基板20の上下面に、合板若しくは金属板を採用した化粧板21が重合積層された厚みのある三層構造板に構成されている。
【００３７】
そして、前記底部フレーム15の内フレーム16と外フレーム17と連結フレーム18とに囲まれた空隙部の全てに前記床板19が配設されて、平面視ドーナツ円板形の前記底板材11が構成されている。
【００３８】
また、床板19の底部フレーム15への配設構造は、前記連結フレーム18が断面転Ｈ形の鋼材で構成されていて、この連結フレーム18の両側の溝部に床板19の両端部が嵌合され、連結フレーム18の上側フランジ部に設けた締付ボルト22の締付によって床板19の嵌合両端部が押え付け固定されている（図３参照）。図中符号23は、床板19の上面（上側化粧板21）と締付ボルト22のボルト先端との間に介在させる介在板である。
【００３９】
このような構造の底板材11の外周縁部に、前記囲い壁12の下端部を連結することにより、底板材11が底部となり前記内フレーム16の内側が前記貫通孔部３として機能する有底円筒状の前記仮締切り構造体２が構築されている。
【００４０】
また、底板材11の前記囲い壁12（分割壁材13）への連結構造は、前記外フレーム17が断面Ｈ形に構成されていて、この外フレーム17の上溝部に囲い壁12下部の分割壁材13が嵌合連結されるように構成されている（図５，図６参照）。
【００４１】
次いで、図１，図４に示すように、橋脚１と仮締切り構造体２とに降下用ガイド24を設置する。
【００４２】
具体的には、前記降下用ガイド24は、前記橋脚１外周面の少なくとも対向部に設置される上下方向に長さを有する降下用レール25と、前記仮締切り構造体２内の少なくとも対向部に前記橋脚１に向けて内向きに突設され突出先端に前記降下用レール25に嵌合して滑走可能な滑走部材27としてのボールベアリング27を有する滑走支持アーム26とから構成されている。
【００４３】
更に詳しくは、降下用レール25は、断面溝形（コ字形）の金属製長尺材（チャンネル材）で構成されており、その溝底部を前記橋脚１の外周面に沿わせて橋脚１に縦設状態に固定されている。
【００４４】
また、この降下用レール25は、橋脚１の外周面に、その周方向に等間隔を置いた四箇所（橋脚１の平面視中心に対し角度０度，９０度，１８０度，２７０度の各位置）に固定されている（図４参照）。
【００４５】
一方、滑走支持アーム26は、詳しく図示していないが断面Ｈ字形の金属製長尺材で構成されており、前記仮締切り構造体２の囲い壁12の内周面に、その周方向に等間隔を置いた四箇所（仮締切り構造体２の平面視中心に対し角度０度，９０度，１８０度，２７０度の各位置）に、中心に向けて水平突設するように構築し、この四箇所の滑走支持アーム26の先端の前記ボールベアリング27を、橋脚１に固定されている四箇所の前記降下用レール25に滑走可能に嵌合する（図４参照）。図中符号30は滑走支持アーム26の水平突設状態を補強すると共に、仮締切り構造体２の保形強度向上にも寄与する補強フレームである。
【００４６】
また、この滑走支持アーム26は、仮締切り構造体２の囲い壁12の途中位置に配設されているリング状中継フレーム28の内周面と、上端部に配設されているリング状天端フレーム29の内周面とから突設されており、仮締切り構造体２内で上下三段設けられている。
【００４７】
従って、四本（四箇所）の降下用レール25を合計十二個のボールベアリング27が滑走することにより、橋脚１に対し仮締切り構造体２が姿勢を保持したままスムーズに降下移動可能となるように構成されている。
【００４８】
次いで、作業用足場を撤去し、前記昇降装置により前記降下用ガイド24を介して橋脚１に対し仮締切り構造体２を水中に降下させ、その後、仮締切り構造体２の囲い壁12の上縁部より上方に浮上防止ブラケット31を配して橋脚１に固定し、この浮上防止ブラケット31が仮締切り構造体２の囲い壁12の上縁部に設けられている天端フレーム29に接することによって、浮力により上昇しようとする仮締切り構造体２を水中に止める。
【００４９】
尚、図面は、仮締切り構造体２を、その底部が橋脚１の基礎35に到達するようにして橋脚１に設置して、仮締切り構造体２の貫通孔部３と橋脚１の基礎35との間に間隙部４が生じるようにした場合を示している。
【００５０】
次いで、この仮締切り構造体２の貫通孔部３と橋脚１の基礎35との間の間隙部４を、止水する。
【００５１】
本実施例の要部である仮締切り構造体の止水工法について説明する。
【００５２】
先ず、前記間隙部４をコンクリート漏止手段５で塞ぐ。
【００５３】
本実施例のコンクリート漏止手段５は、前記仮締切り構造体２に、その底部を覆うようにして漏止シート32が設けられていると共に、この漏止シート32は、前記貫通孔部３と連通する中央孔部33を備えて、この中央孔部33の上側に折り返した孔縁シート部34が前記貫通孔部３と前記橋脚１との間の間隙部４に、橋脚１を囲繞するようにして配設され、この漏止シート32の孔縁シート部34の外側に、弾性を有する素材製（例えばゴム（天然ゴム若しくは合成ゴム）製）の漏止チューブ９が巻回されており、この仮締切り構造体２を橋下の水中に降下させた後、前記漏止チューブ９に流体を注入し、この流体注入により膨張する漏止チューブ９が前記孔縁シート部34を橋脚１の外周面に圧接させて（漏止チューブ９と漏止シート32とで前記間隙部４が塞がれて）、後述するコンクリート６が間隙部４から仮締切り構造体２底部の下方へ漏出することを防止している（図５，図６参照）。
【００５４】
更に詳しくは、漏止シート32は、図５，図６に示すように、底板材11の形状に対応するリング形を呈するものに形成されていて、底板材11の底面全面を下方から覆うように設けられている。
【００５５】
また、この漏止シート32の外周縁部は、その全周が上方へ折り返されて底板材11の外周縁部に接着されており、漏止シート32の内周部たる中央孔部33の孔縁シート部34は、上側へ立ち上がるように折り返されて前記貫通孔部３の孔縁から底板材11の上面側へと配設されている。
【００５６】
また、前記仮締切り構造体２の底板材11を構成する前記内フレーム16は、断面形状がコ字形に形成されており、この内フレーム16の内側溝部に前記漏止チューブ９が収容配設されて、この漏止チューブ９が前記孔縁シート部34の外側に巻回されている。
【００５７】
尚、漏止シート32を設けずに、漏止チューブ９によって間隙部４が塞がれるコンクリート漏止手段５を採用しても良い。
【００５８】
次いで、前記間隙部４と底板材11の上方に、予め水上で組んだ鉄筋７を降下配設すると共に、前記間隙部４より上方の前記橋脚１外周面にアンカー筋８を付設する。この鉄筋７とアンカー筋８の設置は、前記コンクリート漏止手段５で間隙部４を塞ぐ前に行っても良い。また、鉄筋７の形態やアンカー筋８の設置数などは、現場の状況に応じて適宜設計変更可能である。
【００５９】
次いで、仮締切り構造体２内に浸入している水中で、前記間隙部４を塞いているコンクリート漏止手段５の上から間隙部４にコンクリート６を充填し、このコンクリート６に前記鉄筋７とアンカー筋８とを埋設（埋没）させ、このコンクリート６を硬化させる。
【００６０】
即ち、コンクリート６の硬化により前記間隙部４が密閉されて止水されると共に、鉄筋７による硬化コンクリート６層の強度向上効果と、アンカー筋８による仮締切り構造体２の橋脚１に対する強固な位置決め効果とが発揮されるように構成されている。
【００６１】
また、本実施例では、コンクリート６が、間隙部４に加えて底板材11の上部の全範囲に充填されており、さらに硬化後のコンクリート６層上で作業者が作業を行い易いように、コンクリート６上面が平坦面状に形成されている（図１，図６参照）。
【００６２】
このコンクリート６硬化による仮締切り構造体２の止水完了後に、仮締切り構造体２内に入り込んでいる水をポンプ等により排水して仮締切り構造体２内を作業用ドライエリアとし、施工完了となる。
【００６３】
橋脚１の補修・補強工事完了後は、前記コンクリート６層を斫り、仮締切り構造体２を上昇させて撤去する。
【実施例２】
【００６４】
本発明の具体的な実施例２について図７〜図１１に基づいて説明する。
【００６５】
本実施例は、仮締切り構造体２の底板材11の構成と、コンクリート漏止手段５の構成とが前記実施例１と異なる場合である。
【００６６】
先ず、本実施例の底板材11について説明すると、前記実施例１と同様に、底部フレーム15とこの底部フレーム15に取り付けられる床板19とから構成されているが、この底部フレーム15も床板19も前記実施例１のそれとは構成が異なる。
【００６７】
具体的には、本実施例の底部フレーム15は、前記実施例１のものと同等の外フレーム17と、この外フレーム17の内側に、外フレーム17の中心から放射状に配設される複数の支持フレーム36とから成り、本実施例の床板19は、複数の前記支持フレーム17間に架設される平面視円弧帯状の金属製板材から成る。
【００６８】
そして、前記底部フレーム15の複数の支持フレーム36間全てに前記床板19が架設配設されることにより、平面視ドーナツ円板形であって前記床板19の内側の円形孔部が前記貫通孔部３として機能する前記底板材11が構成されている（図８参照）。
【００６９】
また、この床板19の、前記支持フレーム36への架設配設構造は、断面転Ｈ形の鋼材で構成されている前記支持フレーム36の上側フランジ部に、隣接させた床板19の端部同士が突き合せ状態で載置されていると共に、各支持フレーム36間に架設するようにしてこの床板19上にアングル材を採用した押え込みフレーム39が載置され、この支持フレーム36の上側フランジ部と床板19の端部と押え込みフレーム39とを貫通するようにボルト37が設けられていて、このボルト37に螺着したナット38の締付により床板19が支持フレーム36に架設配設固定されている（図９参照）。図中符号40は、隣接する床板19の突き合せ端部間の上面に架設状態に固定されて床板19の突き合せ端部同士を接続する接続部材である。尚、接続部材40を用いずに、床板19の突き合せ端部同士を溶接する構成を採用しても良い。
【００７０】
仮締切り構造体２の底板材11をこのように構成した本実施例の場合、構築後の仮締切り構造体２を、前記昇降装置により前記降下用ガイド24を介して橋脚１に対し水中に降下させた後、仮締切り構造体２の囲い壁12の上縁部より上方に浮上防止ブラケット31を配して橋脚１に固定することに加えて、仮締切り構造体２の前記底板材11より下方の前記橋脚１の基礎35の外周面に、略三角枠状の浮上防止水中ブラケット41を付設し、この浮上防止水中ブラケット41の上枠部に前記底板部11を連結固定する。
【００７１】
即ち、本実施例では、この浮上防止ブラケット31が仮締切り構造体２の囲い壁12の上縁部に設けられている天端フレーム29に接することと、底板材11が浮上防止水中ブラケット41に固定されていることとによって、浮力により上昇しようとする仮締切り構造体２を水中に止めている（図７参照）。
【００７２】
また、浮上防止水中ブラケット41は、断面Ｔ字状や断面Ｌ字状の鋼材が略三角枠状に組まれて構成されており、橋脚１の基礎35に付設した図示省略のアンカーボルトを利用して基礎35の外周面に付設固定されている。
【００７３】
また、浮上防止水中ブラケット41と底板材11との連結固定構造は、図９〜図１１に示すように、浮上防止水中ブラケット41の上枠部に、前記底板材11の支持フレーム36の下側フランジ部を重合載置し、この重合部を、コ字形本体43の遊離両端部に締付ボルト44を具備する連結金具42を用いて締付連結固定するように構成されている。
【００７４】
尚、連結金具42を用いずに、浮上防止水中ブラケット41の上枠部と、支持フレーム36の下側フランジ部との重合部に貫通配設したボルト・ナットで締付連結固定する構成を採用しても良い。
【００７５】
また、この浮上防止水中ブラケット41の橋脚１への取付作業と、浮上防止水中ブラケット41への底板材11の連結固定作業と、後述する型枠板10の間隙部４への設置作業とは、仮締切り構造体２下方での潜水士による水中作業となるが、本実施例の仮締切り構造体２は、この際に水の流れや波などの影響を受けにくいように、底板材11より下方へ守護壁45が垂設されている。
【００７６】
この守護壁45は、前記囲い壁12と同様に分割壁材13を組み合せ連結して所要高さ（深さ）の円筒壁体に構成されており、前記外フレーム17の下溝部に守護壁45下部の分割壁材13が嵌合連結されることで、底板材11より下方へ守護壁45が垂設されている（図７，図１０，図１１参照）。
【００７７】
本実施例では、浮上防止水中ブラケット41と底板材11とを連結固定する際、同時に前記貫通孔部３と前記橋脚１との間の前記間隙部４を、前記実施例１とは異なる構成のコンクリート漏止手段５で塞いでいる。
【００７８】
次に、本実施例のコンクリート漏止手段５について説明すると、前記間隙部４に型枠板10が設置されて、この型枠板10により前記間隙部４が塞がれるようにした場合である。
【００７９】
具体的には、型枠板10は、前記各支持フレーム36の内側端部間に架設状態に縦設されることにより間隙部４の外側全周を塞ぐようにして間隙部４に設置される外型枠板46と、各支持フレーム36の内側より下端間に架設状態に横設され内側端部が橋脚１の基礎35の外周面に接することにより間隙部４の下側全周を塞ぐようにして間隙部４に設置される下型枠板47とから成る。
【００８０】
また、外型枠板46の設置構造は、外型枠板46を支持フレーム36の内側端部に設けられているフランジ部に重合させ、この外型枠板46と内側フランジ部の重合部を貫通するようにして設けられた取付ボルト48と取付ナット49の締付により、外型枠板46が支持フレーム36の内側端部に取り付けられて間隙部４に設置されている（図１０，図１１参照）。
【００８１】
また、下型枠板47の設置構造は、前記浮上防止水中ブラケット41に前記底板材11を連結固定する際に、浮上防止水中ブラケット41の上枠部と支持フレーム36の下端部との間に下型枠板47の外側部分を挟着することにより、下型枠板47が支持フレーム36に取り付けられて間隙部４に設置されている（図９〜図１１参照）。
【００８２】
本実施例では、このコンクリート漏止手段５で前記間隙部４を塞ぐ前、若しくは間隙部４を塞いだ後に、前記間隙部４より上方の前記橋脚１外周面に、鉄筋の機能も具備する形状に組まれたアンカー筋８を付設し、次いで、このアンカー筋８が埋設するようにしてコンクリート漏止手段５の上から間隙部４にコンクリート６を充填し、このコンクリート６の硬化により前記間隙部４を密閉して止水する。
【００８３】
また、本実施例の場合、コンクリート６は、間隙部４に加えて、底板材11上面の橋脚１側（底板材11上面の内外方向の内側１／３程度）が埋まるように充填されている場合を示している（図７，図１１参照）。
【００８４】
他の構成は、前記実施例１と同様である。
【００８５】
尚、本発明は、実施例１，２に限られるものではなく、各構成要件の具体的構成は適宜設計し得るものである。
【符号の説明】
【００８６】
１  橋脚
２  仮締切り構造体
３  貫通孔部
４  間隙部
５  コンクリート漏止手段
６  コンクリート
７  鉄筋
８  アンカー筋
９  漏止チューブ
10  型枠板
【図１】
2018059297.tif 000003
【図２】
2018059297.tif 000004
【図３】
2018059297.tif 000005
【図４】
2018059297.tif 000006
【図５】
2018059297.tif 000007
【図６】
2018059297.tif 000008
【図７】
2018059297.tif 000009
【図８】
2018059297.tif 000010
【図９】
2018059297.tif 000011
【図１０】
2018059297.tif 000012
【図１１】
2018059297.tif 000013
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
橋脚の上方の非水没箇所で、底部に橋脚を貫通配設する貫通孔部が設けられ橋脚の外周を囲むように設置される仮締切り構造体を構築し、この仮締切り構造体を橋下の水中に降下させ、前記貫通孔部と前記橋脚との間の間隙部に、コンクリート漏止手段としての弾性を有する漏止チューブを、橋脚を囲繞するようにして巻回し、流体の注入により膨張するこの漏止チューブで前記間隙部を塞いでからこの間隙部より上方の前記橋脚外周面にアンカー筋を付設し、この間隙部にコンクリートを充填して前記アンカー筋をコンクリートに埋設し、このコンクリートの硬化により前記間隙部を密閉して止水することを特徴とする橋脚補修・補強工事に用いる仮締切り構造体の止水工法。
【請求項２】
橋脚の上方の非水没箇所で、底部に橋脚を貫通配設する貫通孔部が設けられ橋脚の外周を囲むように設置される仮締切り構造体を構築し、この仮締切り構造体を橋下の水中に降下させ、この仮締切り構造体の下方の水中に、浮上防止水中ブラケットを配設して、この浮上防止水中ブラケットを前記橋脚に固定し、この浮上防止水中ブラケットに前記仮締切り構造体の底部を固定すると共に、この浮上防止水中ブラケットと仮締切り構造体の底部との間に、コンクリート漏止手段としての型枠板を挟着して、この型枠板で前記貫通孔部と前記橋脚との間の間隙部を塞いでからこの間隙部にコンクリートを充填し、このコンクリートの硬化により前記間隙部を密閉して止水することを特徴とする橋脚補修・補強工事に用いる仮締切り構造体の止水工法。
【請求項３】
前記間隙部の上方に鉄筋を配設し、この鉄筋を、間隙部に充填する前記コンクリートに埋設することを特徴とする請求項１，２のいずれか１項に記載の橋脚補修・補強工事に用いる仮締切り構造体の止水工法。
【請求項４】
前記間隙部付近の前記橋脚外周面にアンカー筋を付設し、このアンカー筋を、間隙部に充填する前記コンクリートに埋設することを特徴とする請求項２，３のいずれか１項に記載の橋脚補修・補強工事に用いる仮締切り構造体の止水工法。
【手続補正２】
【補正対象書類名】明細書
【補正対象項目名】全文
【補正方法】変更
【補正の内容】
【発明の詳細な説明】
【技術分野】
【０００１】
本発明は、河川や海などに設けられている橋脚の補修・補強工事に用いる仮締切り構造体の止水工法に関するものである。
【背景技術】
【０００２】
河川や海などに架けられた橋は、その橋脚に経年劣化や地震などにより損傷を生じると、補修・補強工事を行う。
【０００３】
具体的には、橋脚の周囲に筒状の仮締切り構造体を構築し、この仮締切り構造体によって水がその内側に入らないようにして作業スペース（ドライエリア）を確保する（例えば、特許文献１参照）。
【先行技術文献】
【特許文献】
【０００４】
【特許文献１】特開２００８−２９７７４８号公報
【発明の概要】
【発明が解決しようとする課題】
【０００５】
一般的に仮締切り構造体は、構築時に橋脚との間にゴムなどの弾性体から成る止水構造体を配設することによって止水し、仮締切り構造体内に水が入り込まないようにしているが、このような止水構造では、特に水深が深いところに仮締切り構造体を設置した際には、水圧の影響で止水構造体に変形を生じて水漏れ（仮締切り構造体内へ浸水）しまう懸念がある。
【０００６】
本発明は、このような懸念を払拭するためのもので、仮締切り構造体内に水が浸入しない完全な止水状態を簡易に実現できる橋脚補修・補強工事に用いる仮締切り構造体の止水工法を提供するものである。
【課題を解決するための手段】
【０００７】
添付図面を参照して本発明の要旨を説明する。
【０００８】
橋脚１の上方の非水没箇所で、底部に橋脚１を貫通配設する貫通孔部３が設けられ橋脚１の外周を囲むように設置される仮締切り構造体２を構築し、この仮締切り構造体２を橋下の水中に降下させ、前記貫通孔部３と前記橋脚１との間の間隙部４に、コンクリート漏止手段５としての弾性を有する漏止チューブ９を、橋脚１を囲繞するようにして巻回し、流体の注入により膨張するこの漏止チューブ９で前記間隙部４を塞いでからこの間隙部４より上方の前記橋脚１外周面にアンカー筋８を付設し、この間隙部４にコンクリート６を充填して前記アンカー筋８をコンクリート６に埋設し、このコンクリート６の硬化により前記間隙部４を密閉して止水することを特徴とする橋脚補修・補強工事に用いる仮締切り構造体の止水工法に係るものである。
【０００９】
また、橋脚１の上方の非水没箇所で、底部に橋脚１を貫通配設する貫通孔部３が設けられ橋脚１の外周を囲むように設置される仮締切り構造体２を構築し、この仮締切り構造体２を橋下の水中に降下させ、この仮締切り構造体２の下方の水中に、浮上防止水中ブラケット41を配設して、この浮上防止水中ブラケット41を前記橋脚１に固定し、この浮上防止水中ブラケット41に前記仮締切り構造体２の底部を固定すると共に、この浮上防止水中ブラケット41と仮締切り構造体２の底部との間に、コンクリート漏止手段５としての型枠板10を挟着して、この型枠板10で前記貫通孔部３と前記橋脚１との間の間隙部４を塞いでからこの間隙部４にコンクリート６を充填し、このコンクリート６の硬化により前記間隙部４を密閉して止水することを特徴とする橋脚補修・補強工事に用いる仮締切り構造体の止水工法に係るものである。
【００１０】
また、前記間隙部４の上方に鉄筋７を配設し、この鉄筋７を、間隙部４に充填する前記コンクリート６に埋設することを特徴とする請求項１，２のいずれか１項に記載の橋脚補修・補強工事に用いる仮締切り構造体の止水工法に係るものである。
【００１１】
また、前記間隙部４付近の前記橋脚１外周面にアンカー筋８を付設し、このアンカー筋８を、間隙部４に充填する前記コンクリート６に埋設することを特徴とする請求項２，３のいずれか１項に記載の橋脚補修・補強工事に用いる仮締切り構造体の止水工法に係るものである。
【発明の効果】
【００１２】
本発明は上述のように構成したから、コンクリート漏止手段により間隙部に簡易に且つ無駄なくコンクリートを充填でき、高強度のコンクリートにより仮締切り構造体底部の貫通孔部と橋脚との間の間隙部を完全に止水でき、従って仮締切り構造体内に浸水の心配がない良好な作業スペース（ドライエリア）を形成可能となると共に、水深の深いところでの橋脚補修・補強工事にも対応可能となるなど、極めて実用性に優れた橋脚補修・補強工事に用いる仮締切り構造体の止水工法となる。
【００１３】
また、請求項１記載の発明においては、間隙部に橋脚を囲繞するようにして弾性を有する漏止チューブを巻回し、液体の注入により膨張するこの漏止チューブで間隙部が塞がれるように構成されているから、コンクリート漏止手段を簡易構成にして容易に設計実現可能となると共に、間隙部より上方の橋脚外周面にアンカー筋を付設し、間隙部にコンクリートを充填してアンカー筋をコンクリートに埋設するから、仮締切り構造体を橋脚に対し強固に位置決めでき、水の浮力に抗する仮締切り構造体の高い浮き上がり防止効果を発揮できる一層実用性に優れた橋脚補修・補強工事に用いる仮締切り構造体の止水工法となる。
【００１４】
また、請求項２記載の発明においては、間隙部に型枠板が設置されて、この型枠板により間隙部が塞がれるように構成されているから、コンクリート漏止手段を、簡易構成にして容易に設計実現可能となる一層実用性に優れた橋脚補修・補強工事に用いる仮締切り構造体の止水工法となる。
【００１５】
また、請求項３記載の発明においては、仮締切り構造体底部の貫通孔部と橋脚との間の間隙部に充填して硬化させるコンクリート層がより強固なものとなるので、水圧に対し高耐性を発揮して非常に高い止水性能を発揮できる一層実用性に優れた橋脚補修・補強工事に用いる仮締切り構造体の止水工法となる。
【００１６】
また、請求項４記載の発明においては、仮締切り構造体を橋脚に対し強固に位置決めでき、水の浮力に抗する仮締切り構造体の高い浮き上がり防止効果を発揮できる一層実用性に優れた橋脚補修・補強工事に用いる仮締切り構造体の止水工法となる。
【図面の簡単な説明】
【００１７】
【図１】実施例１の、橋脚への仮締切り構造体の設置完了状態（止水完了状態）を示す概略説明図である。
【図２】実施例１の、橋脚と仮締切り構造体の底板材との関係を示す説明平面図である。
【図３】実施例１の、底板材を示す構造説明側断面図である。
【図４】実施例１の降下用ガイドを示す説明平面図である。
【図５】実施例１の、底板材上に鉄筋を配設し、橋脚にアンカー筋を付設した状態を示す要部の拡大正断面図である。
【図６】図５に続いて、間隙部をコンクリート漏止手段で塞ぎ、間隙部にコンクリートを充填し硬化させた状態（止水完了状態）を示す要部の拡大正断面図である。
【図７】実施例２の、橋脚への仮締切り構造体の設置完了状態（止水完了状態）を示す概略説明図である。
【図８】実施例２の、橋脚と仮締切り構造体の底板材との関係を示す説明平面図である。
【図９】実施例２の、底板材を示す構造説明側断面図である。
【図１０】実施例２の、橋脚にアンカー筋を付設し、間隙部をコンクリート漏止手段で塞いだ状態を示す要部の拡大正断面図である。
【図１１】図１０に続いて、間隙部にコンクリートを充填し硬化させた状態（止水完了状態）を示す要部の拡大正断面図である。
【発明を実施するための形態】
【００１８】
好適と考える本発明の実施形態を、図面に基づいて本発明の作用を示して簡単に説明する。
【００１９】
橋脚１の上方の非水没箇所で、底部に橋脚１を貫通配設する貫通孔部３が設けられ橋脚１の外周を囲むように設置される仮締切り構造体２を構築する。
【００２０】
次いで、構築した仮締切り構造体２を橋下の水中に降下させ、前記貫通孔部３と前記橋脚１との間の間隙部４をコンクリート漏止手段５で塞いでからこの間隙部４にコンクリート６を充填する。
【００２１】
即ち、コンクリート６の充填は、コンクリート漏止手段５により間隙部４からのコンクリート６漏出が防止された状態で行われるので、この作業が簡易に且つコンクリート６使用量に無駄を生じることなく行われる。
【００２２】
この充填コンクリート６を硬化させると、間隙部４が硬化コンクリート６により密閉されて間隙部４が完全に止水されることになり、仮締切り構造体２内を浸水の心配がない橋脚１補修・補強工事用の作業スペース（ドライエリア）とすることができる。
【００２３】
また、本発明の止水工法によれば、従来までの弾性体から成る止水構造体を用いた止水工法とは異なり、強度の高いコンクリート６が水圧に対し高耐性を発揮するので、水深の深いところでの橋脚１補修・補強工事にも良好に対応可能となる。
【実施例１】
【００２４】
本発明の具体的な実施例１について図１〜図６に基づいて説明する。
【００２５】
本実施例は、河川や海などに架けられた橋の橋脚１が損傷を生じた場合に行われる、橋脚１の補修・補強工事に用いる仮締切り構造体２の設置工法に関するものである。尚、図面は円柱形の橋脚１を図示しているが、この形の橋脚１への設置工法に限定されるものではなく、橋脚１の形状に応じて仮締切り構造体２の形状等は適宜設計変更可能である。
【００２６】
以下、設置手順を説明する。
【００２７】
先ず、橋脚１の周囲の水面上に図示省略の浮桟橋を設置し、橋脚１の水面より上方位置（非水没箇所）に図示省略の作業用足場を設置する。
【００２８】
次いで、この作業用足場を利用して、底部に橋脚１を貫通配設する貫通孔部３が設けられ橋脚１の外周を囲むように設置される仮締切り構造体２を構築する。
【００２９】
具体的には、仮締切り構造体２は、中心部に前記貫通孔部３が設けられている底板材11の外周縁に、円筒状の囲い壁12が立設状態に連結された有底円筒状に構成されている。
【００３０】
更に詳しくは、先ず、分割壁材13として採用した湾曲板状のライナープレート13を、前記橋脚１の周方向および高さ方向に複数組み合せ連結して所要高さの前記円筒状囲い壁12を形成する。
【００３１】
次いで、橋脚１の上方の数箇所（例えば四箇所）に降下索14を設置し、この各降下索14を前記囲い壁12に連結して、囲い壁12を橋脚１に吊り下げる（図１参照）。
【００３２】
また、この各降下索14は、チェーンブロックなどの昇降装置（図示省略）によって昇降駆動可能に構成されており、昇降装置の制御により囲い壁12（仮締切り構造体２）を降下移動し得るように設けられている。
【００３３】
次いで、この囲い壁12の下部に、前記底板材11を形成して前記仮締切り構造体２を構築する。
【００３４】
この底板材11は、底部フレーム15と、この底部フレーム15に取り付けられる床板19とから構成されている。
【００３５】
更に詳しくは、底部フレーム15は、図２に示すように、前記橋脚１の基礎（フーチング）35の外径寸法より径大なリング状の金属製内フレーム16と、この内フレーム16より径大で前記囲い壁12の外径寸法と同等の外径寸法を有するリング状の金属製外フレーム17とが同心円状に配設されていると共に、この内フレーム16と外フレーム17とが、夫々の中心から放射状に配設される複数の連結フレーム18によって連結されて成る。
【００３６】
床板19は、内フレーム16と外フレーム17と連結フレーム18とに囲まれた円弧状の空隙部の形状に略合致する平面視円弧状板に構成されていると共に、図３に示すように、発泡スチロール（ＥＰＳ）製基板20の上下面に、合板若しくは金属板を採用した化粧板21が重合積層された厚みのある三層構造板に構成されている。
【００３７】
そして、前記底部フレーム15の内フレーム16と外フレーム17と連結フレーム18とに囲まれた空隙部の全てに前記床板19が配設されて、平面視ドーナツ円板形の前記底板材11が構成されている。
【００３８】
また、床板19の底部フレーム15への配設構造は、前記連結フレーム18が断面転Ｈ形の鋼材で構成されていて、この連結フレーム18の両側の溝部に床板19の両端部が嵌合され、連結フレーム18の上側フランジ部に設けた締付ボルト22の締付によって床板19の嵌合両端部が押え付け固定されている（図３参照）。図中符号23は、床板19の上面（上側化粧板21）と締付ボルト22のボルト先端との間に介在させる介在板である。
【００３９】
このような構造の底板材11の外周縁部に、前記囲い壁12の下端部を連結することにより、底板材11が底部となり前記内フレーム16の内側が前記貫通孔部３として機能する有底円筒状の前記仮締切り構造体２が構築されている。
【００４０】
また、底板材11の前記囲い壁12（分割壁材13）への連結構造は、前記外フレーム17が断面Ｈ形に構成されていて、この外フレーム17の上溝部に囲い壁12下部の分割壁材13が嵌合連結されるように構成されている（図５，図６参照）。
【００４１】
次いで、図１，図４に示すように、橋脚１と仮締切り構造体２とに降下用ガイド24を設置する。
【００４２】
具体的には、前記降下用ガイド24は、前記橋脚１外周面の少なくとも対向部に設置される上下方向に長さを有する降下用レール25と、前記仮締切り構造体２内の少なくとも対向部に前記橋脚１に向けて内向きに突設され突出先端に前記降下用レール25に嵌合して滑走可能な滑走部材27としてのボールベアリング27を有する滑走支持アーム26とから構成されている。
【００４３】
更に詳しくは、降下用レール25は、断面溝形（コ字形）の金属製長尺材（チャンネル材）で構成されており、その溝底部を前記橋脚１の外周面に沿わせて橋脚１に縦設状態に固定されている。
【００４４】
また、この降下用レール25は、橋脚１の外周面に、その周方向に等間隔を置いた四箇所（橋脚１の平面視中心に対し角度０度，９０度，１８０度，２７０度の各位置）に固定されている（図４参照）。
【００４５】
一方、滑走支持アーム26は、詳しく図示していないが断面Ｈ字形の金属製長尺材で構成されており、前記仮締切り構造体２の囲い壁12の内周面に、その周方向に等間隔を置いた四箇所（仮締切り構造体２の平面視中心に対し角度０度，９０度，１８０度，２７０度の各位置）に、中心に向けて水平突設するように構築し、この四箇所の滑走支持アーム26の先端の前記ボールベアリング27を、橋脚１に固定されている四箇所の前記降下用レール25に滑走可能に嵌合する（図４参照）。図中符号30は滑走支持アーム26の水平突設状態を補強すると共に、仮締切り構造体２の保形強度向上にも寄与する補強フレームである。
【００４６】
また、この滑走支持アーム26は、仮締切り構造体２の囲い壁12の途中位置に配設されているリング状中継フレーム28の内周面と、上端部に配設されているリング状天端フレーム29の内周面とから突設されており、仮締切り構造体２内で上下三段設けられている。
【００４７】
従って、四本（四箇所）の降下用レール25を合計十二個のボールベアリング27が滑走することにより、橋脚１に対し仮締切り構造体２が姿勢を保持したままスムーズに降下移動可能となるように構成されている。
【００４８】
次いで、作業用足場を撤去し、前記昇降装置により前記降下用ガイド24を介して橋脚１に対し仮締切り構造体２を水中に降下させ、その後、仮締切り構造体２の囲い壁12の上縁部より上方に浮上防止ブラケット31を配して橋脚１に固定し、この浮上防止ブラケット31が仮締切り構造体２の囲い壁12の上縁部に設けられている天端フレーム29に接することによって、浮力により上昇しようとする仮締切り構造体２を水中に止める。
【００４９】
尚、図面は、仮締切り構造体２を、その底部が橋脚１の基礎35に到達するようにして橋脚１に設置して、仮締切り構造体２の貫通孔部３と橋脚１の基礎35との間に間隙部４が生じるようにした場合を示している。
【００５０】
次いで、この仮締切り構造体２の貫通孔部３と橋脚１の基礎35との間の間隙部４を、止水する。
【００５１】
本実施例の要部である仮締切り構造体の止水工法について説明する。
【００５２】
先ず、前記間隙部４をコンクリート漏止手段５で塞ぐ。
【００５３】
本実施例のコンクリート漏止手段５は、前記仮締切り構造体２に、その底部を覆うようにして漏止シート32が設けられていると共に、この漏止シート32は、前記貫通孔部３と連通する中央孔部33を備えて、この中央孔部33の上側に折り返した孔縁シート部34が前記貫通孔部３と前記橋脚１との間の間隙部４に、橋脚１を囲繞するようにして配設され、この漏止シート32の孔縁シート部34の外側に、弾性を有する素材製（例えばゴム（天然ゴム若しくは合成ゴム）製）の漏止チューブ９が巻回されており、この仮締切り構造体２を橋下の水中に降下させた後、前記漏止チューブ９に流体を注入し、この流体注入により膨張する漏止チューブ９が前記孔縁シート部34を橋脚１の外周面に圧接させて（漏止チューブ９と漏止シート32とで前記間隙部４が塞がれて）、後述するコンクリート６が間隙部４から仮締切り構造体２底部の下方へ漏出することを防止している（図５，図６参照）。
【００５４】
更に詳しくは、漏止シート32は、図５，図６に示すように、底板材11の形状に対応するリング形を呈するものに形成されていて、底板材11の底面全面を下方から覆うように設けられている。
【００５５】
また、この漏止シート32の外周縁部は、その全周が上方へ折り返されて底板材11の外周縁部に接着されており、漏止シート32の内周部たる中央孔部33の孔縁シート部34は、上側へ立ち上がるように折り返されて前記貫通孔部３の孔縁から底板材11の上面側へと配設されている。
【００５６】
また、前記仮締切り構造体２の底板材11を構成する前記内フレーム16は、断面形状がコ字形に形成されており、この内フレーム16の内側溝部に前記漏止チューブ９が収容配設されて、この漏止チューブ９が前記孔縁シート部34の外側に巻回されている。
【００５７】
尚、漏止シート32を設けずに、漏止チューブ９によって間隙部４が塞がれるコンクリート漏止手段５を採用しても良い。
【００５８】
次いで、前記間隙部４と底板材11の上方に、予め水上で組んだ鉄筋７を降下配設すると共に、前記間隙部４より上方の前記橋脚１外周面にアンカー筋８を付設する。この鉄筋７とアンカー筋８の設置は、前記コンクリート漏止手段５で間隙部４を塞ぐ前に行っても良い。また、鉄筋７の形態やアンカー筋８の設置数などは、現場の状況に応じて適宜設計変更可能である。
【００５９】
次いで、仮締切り構造体２内に浸入している水中で、前記間隙部４を塞いているコンクリート漏止手段５の上から間隙部４にコンクリート６を充填し、このコンクリート６に前記鉄筋７とアンカー筋８とを埋設（埋没）させ、このコンクリート６を硬化させる。
【００６０】
即ち、コンクリート６の硬化により前記間隙部４が密閉されて止水されると共に、鉄筋７による硬化コンクリート６層の強度向上効果と、アンカー筋８による仮締切り構造体２の橋脚１に対する強固な位置決め効果とが発揮されるように構成されている。
【００６１】
また、本実施例では、コンクリート６が、間隙部４に加えて底板材11の上部の全範囲に充填されており、さらに硬化後のコンクリート６層上で作業者が作業を行い易いように、コンクリート６上面が平坦面状に形成されている（図１，図６参照）。
【００６２】
このコンクリート６硬化による仮締切り構造体２の止水完了後に、仮締切り構造体２内に入り込んでいる水をポンプ等により排水して仮締切り構造体２内を作業用ドライエリアとし、施工完了となる。
【００６３】
橋脚１の補修・補強工事完了後は、前記コンクリート６層を斫り、仮締切り構造体２を上昇させて撤去する。
【実施例２】
【００６４】
本発明の具体的な実施例２について図７〜図１１に基づいて説明する。
【００６５】
本実施例は、仮締切り構造体２の底板材11の構成と、コンクリート漏止手段５の構成とが前記実施例１と異なる場合である。
【００６６】
先ず、本実施例の底板材11について説明すると、前記実施例１と同様に、底部フレーム15とこの底部フレーム15に取り付けられる床板19とから構成されているが、この底部フレーム15も床板19も前記実施例１のそれとは構成が異なる。
【００６７】
具体的には、本実施例の底部フレーム15は、前記実施例１のものと同等の外フレーム17と、この外フレーム17の内側に、外フレーム17の中心から放射状に配設される複数の支持フレーム36とから成り、本実施例の床板19は、複数の前記支持フレーム17間に架設される平面視円弧帯状の金属製板材から成る。
【００６８】
そして、前記底部フレーム15の複数の支持フレーム36間全てに前記床板19が架設配設されることにより、平面視ドーナツ円板形であって前記床板19の内側の円形孔部が前記貫通孔部３として機能する前記底板材11が構成されている（図８参照）。
【００６９】
また、この床板19の、前記支持フレーム36への架設配設構造は、断面転Ｈ形の鋼材で構成されている前記支持フレーム36の上側フランジ部に、隣接させた床板19の端部同士が突き合せ状態で載置されていると共に、各支持フレーム36間に架設するようにしてこの床板19上にアングル材を採用した押え込みフレーム39が載置され、この支持フレーム36の上側フランジ部と床板19の端部と押え込みフレーム39とを貫通するようにボルト37が設けられていて、このボルト37に螺着したナット38の締付により床板19が支持フレーム36に架設配設固定されている（図９参照）。図中符号40は、隣接する床板19の突き合せ端部間の上面に架設状態に固定されて床板19の突き合せ端部同士を接続する接続部材である。尚、接続部材40を用いずに、床板19の突き合せ端部同士を溶接する構成を採用しても良い。
【００７０】
仮締切り構造体２の底板材11をこのように構成した本実施例の場合、構築後の仮締切り構造体２を、前記昇降装置により前記降下用ガイド24を介して橋脚１に対し水中に降下させた後、仮締切り構造体２の囲い壁12の上縁部より上方に浮上防止ブラケット31を配して橋脚１に固定することに加えて、仮締切り構造体２の前記底板材11より下方の前記橋脚１の基礎35の外周面に、略三角枠状の浮上防止水中ブラケット41を付設し、この浮上防止水中ブラケット41の上枠部に前記底板材11を連結固定する。
【００７１】
即ち、本実施例では、この浮上防止ブラケット31が仮締切り構造体２の囲い壁12の上縁部に設けられている天端フレーム29に接することと、底板材11が浮上防止水中ブラケット41に固定されていることとによって、浮力により上昇しようとする仮締切り構造体２を水中に止めている（図７参照）。
【００７２】
また、浮上防止水中ブラケット41は、断面Ｔ字状や断面Ｌ字状の鋼材が略三角枠状に組まれて構成されており、橋脚１の基礎35に付設した図示省略のアンカーボルトを利用して基礎35の外周面に付設固定されている。
【００７３】
また、浮上防止水中ブラケット41と底板材11との連結固定構造は、図９〜図１１に示すように、浮上防止水中ブラケット41の上枠部に、前記底板材11の支持フレーム36の下側フランジ部を重合載置し、この重合部を、コ字形本体43の遊離両端部に締付ボルト44を具備する連結金具42を用いて締付連結固定するように構成されている。
【００７４】
尚、連結金具42を用いずに、浮上防止水中ブラケット41の上枠部と、支持フレーム36の下側フランジ部との重合部に貫通配設したボルト・ナットで締付連結固定する構成を採用しても良い。
【００７５】
また、この浮上防止水中ブラケット41の橋脚１への取付作業と、浮上防止水中ブラケット41への底板材11の連結固定作業と、後述する型枠板10の間隙部４への設置作業とは、仮締切り構造体２下方での潜水士による水中作業となるが、本実施例の仮締切り構造体２は、この際に水の流れや波などの影響を受けにくいように、底板材11より下方へ守護壁45が垂設されている。
【００７６】
この守護壁45は、前記囲い壁12と同様に分割壁材13を組み合せ連結して所要高さ（深さ）の円筒壁体に構成されており、前記外フレーム17の下溝部に守護壁45下部の分割壁材13が嵌合連結されることで、底板材11より下方へ守護壁45が垂設されている（図７，図１０，図１１参照）。
【００７７】
本実施例では、浮上防止水中ブラケット41と底板材11とを連結固定する際、同時に前記貫通孔部３と前記橋脚１との間の前記間隙部４を、前記実施例１とは異なる構成のコンクリート漏止手段５で塞いでいる。
【００７８】
次に、本実施例のコンクリート漏止手段５について説明すると、前記間隙部４に型枠板10が設置されて、この型枠板10により前記間隙部４が塞がれるようにした場合である。
【００７９】
具体的には、型枠板10は、前記各支持フレーム36の内側端部間に架設状態に縦設されることにより間隙部４の外側全周を塞ぐようにして間隙部４に設置される外型枠板46と、各支持フレーム36の内側より下端間に架設状態に横設され内側端部が橋脚１の基礎35の外周面に接することにより間隙部４の下側全周を塞ぐようにして間隙部４に設置される下型枠板47とから成る。
【００８０】
また、外型枠板46の設置構造は、外型枠板46を支持フレーム36の内側端部に設けられているフランジ部に重合させ、この外型枠板46と内側フランジ部の重合部を貫通するようにして設けられた取付ボルト48と取付ナット49の締付により、外型枠板46が支持フレーム36の内側端部に取り付けられて間隙部４に設置されている（図１０，図１１参照）。
【００８１】
また、下型枠板47の設置構造は、前記浮上防止水中ブラケット41に前記底板材11を連結固定する際に、浮上防止水中ブラケット41の上枠部と支持フレーム36の下端部との間に下型枠板47の外側部分を挟着することにより、下型枠板47が支持フレーム36に取り付けられて間隙部４に設置されている（図９〜図１１参照）。
【００８２】
本実施例では、このコンクリート漏止手段５で前記間隙部４を塞ぐ前、若しくは間隙部４を塞いだ後に、前記間隙部４より上方の前記橋脚１外周面に、鉄筋の機能も具備する形状に組まれたアンカー筋８を付設し、次いで、このアンカー筋８が埋設するようにしてコンクリート漏止手段５の上から間隙部４にコンクリート６を充填し、このコンクリート６の硬化により前記間隙部４を密閉して止水する。
【００８３】
また、本実施例の場合、コンクリート６は、間隙部４に加えて、底板材11上面の橋脚１側（底板材11上面の内外方向の内側１／３程度）が埋まるように充填されている場合を示している（図７，図１１参照）。
【００８４】
他の構成は、前記実施例１と同様である。
【００８５】
尚、本発明は、実施例１，２に限られるものではなく、各構成要件の具体的構成は適宜設計し得るものである。
【符号の説明】
【００８６】
１  橋脚
２  仮締切り構造体
３  貫通孔部
４  間隙部
５  コンクリート漏止手段
６  コンクリート
７  鉄筋
８  アンカー筋
９  漏止チューブ
10  型枠板
41 浮上防止水中ブラケット